(57)【要約】【課題】  据付用作業床の昇降を案内するガイドレールを昇降路に取り付ける際に、固定足場を不要として、据付費用を低減することのできるエレベータの据付方法を提供する。【解決手段】  エレベータの乗かごが昇降する昇降路の底部にピットベースを組み立てる工程と、ピットベース上の、乗りかごが昇降する空間を挟んで対向する所定の位置に最下部ガイドレールを立設し、ピットベースに最下部ガイドレールの下部を固定する工程と、昇降路底部を足場として、最下部ガイドレールを第１のレールブラケットで昇降路に固定する工程と、最下部ガイドレールに固定支持した状態で据付用作業床を組み上げる工程と、ピットベースを配置する工程の後であって、据付用作業床を組み上げる工程の前までに、ピットベースを昇降路底部に固定する工程と、組み上げた据付用作業床を上昇させる工程とを有する。【選択図】図１
2018070362.tif 000002
【特許請求の範囲】
【請求項１】
エレベータの乗かごが昇降する昇降路の底部にピットベースを組み立てる工程と、
前記ピットベース上の、乗りかごが昇降する空間を挟んで対向する所定の位置に最下部ガイドレールを立設し、前記ピットベースに前記最下部ガイドレールの下部を固定する工程と、
昇降路の底部を足場として、前記最下部ガイドレールを第１のレールブラケットで昇降路に固定する工程と、
前記最下部ガイドレールに固定支持した状態で据付用作業床を組み上げる工程と、
前記ピットベースを配置する工程の後であって、前記据付用作業床を組み上げる工程の前までに、前記ピットベースを昇降路の底部に固定する工程と、
組み上げた前記据付用作業床を上昇させる工程と、
を有するエレベータの据付方法。
【請求項２】
前記据付用作業床を上昇させた後、前記据付用作業床を足場として、前記第１のレールブラケットよりも上方において、第２のレールブラケットで前記最下部ガイドレール又は前記最下部ガイドレールの上方に立設される２段目のガイドレールを昇降路に固定する工程
を有する請求項１に記載のエレベータの据付方法。
【請求項３】
前記ピットベースを昇降路の底部に固定する工程は、前記最下部のガイドレールを前記第１のレールブラケットで昇降路に固定する工程の後であって、前記据付用作業床を組み上げる工程の前に行う
請求項１又は２に記載のエレベータの据付方法。
【請求項４】
前記ピットベースを昇降路の底部に固定する工程は、前記ピットベースに前記最下部ガイドレールの下部を固定する工程の後であって、前記最下部のガイドレールを前記第１のレールブラケットで固定する工程の前に行う
請求項１又は２に記載のエレベータの据付方法。
【発明の詳細な説明】
【技術分野】
【０００１】
本発明は、エレベータの据付方法に関し、特に、エレベータのガイドレールの据付方法に関する。
【背景技術】
【０００２】
従来のエレベータの据付作業では、昇降路頂部に設けた揚重機に駆動される揚重ロープを昇降路に配置された据付用作業床に固定し、揚重機を駆動することで揚重ロープを介して据付用作業床を昇降させ、据付用作業床に乗った作業者が昇降路内の機器の据付作業を行っている（特許文献１参照）。
【先行技術文献】
【特許文献】
【０００３】
【特許文献１】特開２００５−１６２４１６号公報
【発明の概要】
【発明が解決しようとする課題】
【０００４】
ところで、従来のエレベータの据付方法では、据付用作業床の昇降を案内するガイドレールを立設する際は、昇降路底部（床面）に固定の足場を仮設し、その固定足場を用いてガイドレールを昇降路に固定する作業が行われている。このように、昇降路内に固定足場を仮設する場合、機材の運搬、設置等に係る作業量が増大すると共に据付費用が増大してしまう問題がある。
【０００５】
そこで、本発明は、据付用作業床の昇降を案内するガイドレールを昇降路に取り付ける際に、固定足場を不要として、据付費用を低減することのできるエレベータの据付方法を提供することを目的とする。
【課題を解決するための手段】
【０００６】
上記課題を解決し、本発明の目的を達成するため、本発明のエレベータの据付方法は、エレベータの乗かごが昇降する昇降路の底部にピットベースを組み立てる工程と、ピットベース上の、乗りかごが昇降する空間を挟んで対向する所定の位置に最下部ガイドレールを立設し、ピットベースに最下部ガイドレールの下部を固定する工程と、昇降路底部を足場として、最下部ガイドレールを第１のレールブラケットで昇降路に固定する工程と、最下部ガイドレールに固定支持した状態で据付用作業床を組み上げる工程と、ピットベースを配置する工程の後であって、据付用作業床を組み上げる工程の前までに、ピットベースを昇降路底部に固定する工程と、組み上げた据付用作業床を上昇させる工程とを有する。
【発明の効果】
【０００７】
本発明によれば、ガイドレールを設置する際に、昇降路底部に固定足場を組み立てる必要がないため、据付費用の削減を図ることができる。
【図面の簡単な説明】
【０００８】
【図１】本発明の一実施形態に係るエレベータの据付方法を示すフローチャートである。
【図２】本発明の一実施形態に係るエレベータの据付方法における最下段のガイドレールの取り付け工程及び据付用作業床の組み立て工程を終えた状態を示す図である。
【図３】図３Ａは本発明の一実施形態に係るエレベータの据付方法に適用されるピットベースを一方の側から見た場合の構成図であり、図３Ｂは、ピットベースを上面から見た場合の構成図であり、図３Ｃはピットベースの他方の側から見た場合の構成図である。
【図４】本発明の一実施形態に係るエレベータの据付方法に適用されるガイドレールを概略的に示した斜視図である。
【図５】本発明の一実施形態に係るエレベータの据付方法における最下部ガイドレールの２段目レールブラケット取り付け工程を示す図である。
【図６】本発明の一実施形態に係るエレベータの据付方法における中間部のガイドレールの取り付け工程を示す図である。
【図７】本発明の一実施形態に係るエレベータの据付方法における最上部のガイドレールの取り付け工程を示す図である。
【発明を実施するための形態】
【０００９】
以下、本発明の一実施形態に係るエレベータの据付方法の一例を、図面を参照しながら説明する。なお、本発明は以下の例に限定されるものではない。
【００１０】
図１は、本発明の一実施形態に係るエレベータ１の据付方法を示すフローチャートであり、図２は、本発明の一実施形態に係るエレベータ１の据付方法において、最下部のガイドレール１１の取り付け工程及び据付用作業床１４の組み立て工程を終えた状態を示す昇降路２の断面図である。本実施形態は、図２に示すように、エレベータ１の昇降路２内に、ガイドレール１１，１２，１３を順に組み立てて行く例について説明するものである。なお、以下の説明において、ガイドレール１１，１２，１３を区別する場合には、それぞれ、最下部ガイドレール１１，中間部ガイドレール１２，最上部ガイドレール１３と記す。
【００１１】
まず、本実施形態に係るエレベータ１の据付方法では、最下部ガイドレール１１の取り付け作業に先立ち、トップステージ３の組立工程と、揚重機５，６の設置工程を行う（ステップＳ１）。図２に示すように、トップステージ３は、エレベータ１の乗りかごが昇降する昇降路２の頂部に後述のレール揚重機５及び作業床揚重機６を設置するための作業床であり、エレベータ１の最上階の乗り場から昇降路２内に延設して組み上げられた跳ね出しの足場である。トップステージ３は、作業者Ｘが、昇降路２頂部に、レール揚重機５及び作業床揚重機６を設置可能な程度に昇降路２内に張り出して設けられる。
【００１２】
作業者Ｘは、トップステージ３を組み立てた後、トップステージ３を足場として、昇降路２頂部にレール揚重機５及び作業床揚重機６を吊り下げ可能な吊りビーム４を設置する。そして、その吊りビーム４に、ガイドレール１１，１２，１３を吊り上げる為のレール揚重機５と、後述する据付用作業床１４を昇降させる作業床揚重機６とを設置する。レール揚重機５及び作業床揚重機６は、それぞれ、フック５ａ，６ａによって吊りビーム４に取り付けられる。そして、レール揚重機５及び作業床揚重機６には、それぞれ揚重ロープ７，８が保持されている。
【００１３】
これらのレール揚重機５及び作業床揚重機６は、建屋電源から引いた動力電源ケーブル（図示を省略する）に接続されており、それぞれの揚重ロープ７，８の吊り上げ吊り下げが行われる。また、レール揚重機５の揚重ロープ７の先端には、ガイドレール保持部９が設けられている。本実施形態では、レール揚重機５及び作業床揚重機６の取り付け後は、所定のタイミングでトップステージ３は取り外される。
【００１４】
次に、ピットベース１０の組立工程、最下部ガイドレール１１の配置工程、第１のレールブラケット１６（以下、最下段レールブラケット１６）の固定工程を順に行う（ステップＳ２）。図３Ａは本実施形態に係るエレベータ１の据付方法に適用されるピットベース１０を一方の側から見た場合の構成図であり、図３Ｂは、ピットベース１０を上面から見た場合の構成図であり、図３Ｃはピットベース１０の他方の側から見た場合の構成図である。
【００１５】
本実施形態で用いられるピットベース１０は、図３Ａ及び図３Ｂに示すように、細長い梁状の部材で構成されたピットベース本体１８と、そのピットベース本体１８の長手方向に沿う両端面にボルト２０で固定された２つのガイドレール受け部１９とで構成されている。ピットベース本体１８は、立設する最下部ガイドレール１１の間隔を規定する部材であり、エレベータ毎に所望の長さで構成される。本実施形態では、ピットベース本体１８は、図示を省略するが、短手方向に沿う断面がコ字状の部材で構成されており、長手方向の両端部には、その短手方向の両側に張り出すように形成され、ガイドレール受け部１９とボルト締結する際に用いられるボルト穴が形成された張り出し部１８ａが設けられている。
【００１６】
ガイドレール受け部１９は、最下部ガイドレール１１が設置される水平面を有する平面部１９ａと、その平面部１９ａを挟んで上方向に延びる外側折り曲げ部１９ｂ及びピットベース本体側折り曲げ部１９ｃを有する。ピットベース本体側折り曲げ部１９ｃには、ピットベース本体１８の張り出し部１８ａに設けられたボルト穴に対応する位置にボルト穴が設けられている。外側折り曲げ部１９ｂは、後で設置される最下部ガイドレール１１の底部を、レールクリップ２３によって外側折り曲げ部１９ｂに固定できる程度の高さに折り曲げられている。外側折り曲げ部１９ｂにおいても、最下部ガイドレール１１固定用のレールクリップ２３に設けられたボルト穴に対応する位置にボルト穴が設けられている。
【００１７】
ピットベース１０は、ピットベース本体１８の張り出し部１８ａと、ガイドレール受け部１９のピットベース側折り曲げ部１９ｃとがボルト２０によって締結されることによって、ピットベース本体１８の長手方向の両端面にガイドレール受け部１９が固定されている。そして、ピットベース１０は、この状態で昇降路２内に搬入され、昇降路底部３１の所定の位置に組み立てられる。
【００１８】
作業者は、ピットベース１０を昇降路底部３１に組み立てた後、最下部ガイドレール１１をレール揚重機５で吊上げながらガイドレール受け部１９上に立設する。最下部ガイドレール１１は、レール揚重機５の揚重ロープ７の先端に設けられたガイドレール保持部９に保持され、鉛直方向に吊り上げられながら、ガイドレール受け部１９の平面部１９ａに配置される。
【００１９】
図４は、本実施形態で用いられる最下部ガイドレール１１の概略斜視図である。図４に示すように、本実施形態の最下部ガイドレール１１は、壁側に固定する際に、後述するレールブラケット１６が取り付けられるフランジ部１１ｂと、後述する据付用作業床１４や乗りかごの昇降をガイドするガイド部１１ｃとからなる断面がＴ字形状の部材で構成されている。最下部ガイドレール１１の上端には、フランジ部１１ｂの背面側にボルト２６で締結された継目板１１ａが設けられている。継目板１１ａには、上側に配置されるガイドレール（本実施形態では、中間部ガイドレール１２）とのボルト締結のためのボルト穴２５が設けられている。このような構成の最下部ガイドレール１１は、継目板１１ａが上端にくるようにガイドレール受け部１９上に設置され、かつ、最下部ガイドレール１１のフランジ部１１ｂのガイド部１１ｃが設けられている側とは反対側の背面とガイドレール受け部１９の外側折り曲げ部１９ｂとが接するように設置される。
【００２０】
なお、本実施形態は、３段のガイドレール１１，１２，１３を取り付ける例であり、ガイドレールの据付時には、最下部ガイドレール１１の他、中間部（２段目）ガイドレール１２と最上部（３段目）ガイドレール１３とが昇降路２内に搬入されている。ガイドレール１２，１３についても最下部ガイドレール１１と同様、断面Ｔ字形状の部材で構成されているが、中間部ガイドレール１２には最下部ガイドレール１１と同様の上端部に継目板１２ａが取り付けられており、最上部ガイドレール１３には継目板は取り付けられていない。
【００２１】
最下部ガイドレール１１をガイドレール受け部１９上に立設した後、図３Ａ及び図３Ｂに示すように、レールクリップ２３を用いて最下部ガイドレール１１の下部と、ガイドレール受け部１９とを固定する。最下部ガイドレール１１は、最下部ガイドレール１１のフランジ部１１ｂとガイドレール受け部１９の外側折り曲げ部１９ｂとをレールクリップ２３で挟み、ボルト２４で締結することでガイドレール受け部１９に固定される。
【００２２】
次に、図２に示すように、作業者Ｘは昇降路底部３１を足場として、最下部ガイドレール１１を最下段レールブラケット１６で昇降路２の内壁に固定する。最下段レールブラケット１６は、昇降路２の壁面や建屋の梁などに設置されているファスナ（図示を省略する）に、例えばボルト等で固定される。最下段レールブラケット１６の位置は、エレベータの仕様や、ガイドレールの仕様によって異なるが、作業者が昇降路底部３１を足場として取り付けられる位置であればよく、例えば、昇降路底部３１から８００ｍｍ程度の高さに取り付けられる。
【００２３】
次に、ピットベース１０の固定工程（ステップＳ３）を行う。ピットベース１０の昇降路底部３１に対する固定は、図３Ａ、図３Ｂ及び図３Ｃに示すように、ガイドレール受け部１９をレールクリップ２１とアンカーボルト２２で昇降路底部３１に固定することで行われる。本実施形態では、図３Ｂに示すように、ピットベース１０は、１つのガイドレール受け部１９に対して、最下部ガイドレール１１を挟む２箇所で昇降路底部３１に固定される。ガイドレール受け部１９を昇降路底部３１に固定するためのレールクリップ２１は、ガイドレール受け部１９の平面部１９ａから昇降路底部３１に延在する部材で構成されている。そして、レールクリップ２１でガイドレール受け部１９の平面部１９ａを挟み、このレールクリップ２３をアンカーボルト２２で昇降路底部３１に固定することで、ガイドレール受け部１９が昇降路底部３１に固定されると共に、ピットベース１０が昇降路底部３１に固定される。
【００２４】
最下部ガイドレール１１を挟んで設けられる２つのアンカーボルト２２の幅は、最下部ガイドレール１１のフランジ部１１ｂの幅よりも大きければよく、後述する据付用作業床１４の昇降に伴うモーメント荷重を支持できる程度にガイドレール受け部１９に固定できる幅であればよい。また、アンカーボルト２２の深さや、材質等も、エレベータの仕様によって種々選択されるものである。アンカーボルト２２としては、耐水性を有するものを用いることが好ましい。耐水性を有するアンカーボルト２２としては、例えばケミカルアンカー等が挙げられる。耐水性を有するアンカーボルト２２を用いることによって、昇降路底部３１の床から地下水等が溢れ出ることを防止することができる。
【００２５】
ガイドレール受け部１９がアンカーボルト２２によって昇降路底部３１に固定されることにより、ピットベース１０の長手方向の両端部が昇降路底部３１に固定される。ここまでの工程により、最下部ガイドレール１１は、アンカーボルト２２及び最下段レールブラケット１６により、昇降路２内に固定されている。
【００２６】
次に、据付用作業床１４の組み立て工程（ステップＳ４）を行う。作業者Ｘは、昇降路底部３１を足場として、最下部ガイドレール１１の中間位置であって、最下部乗り場よりも上方位置に、据付用作業床１４のストッパーとなる作業床受け雇１５を設置する。作業床受け雇１５は、据付用作業床１４を支持固定可能な部材（例えばアングル）で構成されており、図示を省略するが、最下部ガイドレール１１にボルト締結される。
【００２７】
そして、作業床受け雇１５を設置した後、この作業床受け雇１５に支持させながら、最下部ガイドレール１１に係合するように据付用作業床１４の組み立てを行う。本実施形態の据付用作業床１４は、作業者Ｘの足場となるかご床１４ａ、作業者Ｘの安全性を確保するための手すり１４ｂ、及び、かご床１４ａの上面側の作業者Ｘが乗車するスペースよりも上部側に設けられた防護天井１４ｃを有する。
【００２８】
本実施形態では、作業床受け雇１５が最下部乗り場よりも上方位置に取り付けられているため、据付用作業床１４も最下部乗り場よりも上方位置に組み上げられる。これにより、作業者Ｘは、据付用作業床１４に乗ることもでき、かつ、最下部乗り場と据付用作業床１４との隙間から昇降路底部３１に入ることもできる。これにより、作業性が向上する。
【００２９】
据付用作業床１４を組み上げた後、図２に示すように、据付用作業床１４と作業床揚重機６によって駆動される揚重ロープ８とを連結する。これにより、据付用作業床１４は、昇降路２を最下部ガイドレール１１に案内されながら昇降可能になる。また、据付用作業床１４を組み立て、作業床揚重機６の揚重ロープ７に連結した後は、作業床受け雇１５は取り外してよい。
【００３０】
次に、据付用作業床１４の上昇工程と第２のレールブラケット２７（以下、２段目レールブラケット２７）の取り付け工程を順に行う（ステップＳ５）。図５は、本発明の一実施形態に係るエレベータ１の据付方法における最下部ガイドレール１１の２段目レールブラケット２７の取り付け工程を示す図である。据付用作業床１４の昇降工程では、作業床揚重機６を駆動して揚重ロープ８を上昇させることにより据付用作業床１４を上昇させる。このとき、据付用作業床１４に乗車した作業車Ｘが、最下部ガイドレール１１の２段目レールブラケット２７を取り付ける位置に届く位置まで据付用作業床１４を上昇させる。そして、所望の位置に据付用作業床１４を上昇させたら、作業者Ｘは、据付用作業床１４を足場として、２段目レールブラケット２７で最下部ガイドレール１１の上部を昇降路２の内壁に固定する作業を行う。本実施形態では、２段目レールブラケット２７は、最下部ガイドレール１１の中心よりも上方に取り付けられる。
【００３１】
本実施形態では、据付用作業床１４を上昇させる前の工程において、最下部ガイドレール１１は、昇降路底部３１に固定されたガイドレール受け部１９に固定されると共に、最下段レールブラケット１６で昇降路２の内壁に固定されている。したがって、据付用作業床１４を上昇させる段階では、最下部ガイドレール１１は、２点で昇降路に固定されている。これにより、据付用作業床１４を最下部ガイドレール１１に案内させて上昇させるときに、最下部ガイドレール１１に作用するモーメント荷重を、ガイドレール受け部１９と最下段レールブラケット１６とで支持することが可能である。これにより、安全に据付用作業床１４を最下部ガイドレール１１に案内させて昇降させることができる。
【００３２】
次に、中間部ガイドレール１２の取り付け工程を行う（ステップＳ６）。図６は、本実施形態に係るエレベータ１の据付方法における中間部ガイドレール１２の取り付け工程を示す図である。中間部ガイドレール１２の取り付けは、必要に応じて据付用作業床１４を上昇させて行う。まず、最下部ガイドレール１１の上端に取り付けられた継目板１１ａに、据付用作業床１４に乗車している作業者Ｘが届く位置まで据付用作業床１４を上昇させる。次に、レール揚重機５を駆動してレール揚重機５の揚重ロープ７に中間部ガイドレール１２を保持させて吊り上げ、最下部ガイドレール１１の上端側に中間部ガイドレール１２を配置する。その状態で、作業者Ｘは、据付用作業床１４を足場として中間部ガイドレール１２の継目板１２ａが固定されていない側の下端と、最下部ガイドレール１１の継目板１１ａとをボルト締結する。
【００３３】
次に、中間部ガイドレール１２のレールブラケット取り付け位置に作業者Ｘが届く位置まで再度据付用作業床１４を上昇させる。そして、作業者Ｘは、据付用作業床１４を足場として、中間部ガイドレール１２をレールブラケット２８により昇降路２の内壁に固定する。本実施形態では、中間部ガイドレール１２は１つのレールブラケット２８で固定される例としており、例えば、中間部ガイドレール１２の中心部にレールブラケット２８が取り付けられる。
【００３４】
次に、最上部ガイドレール１３の取り付け工程を行う（ステップＳ７）。図７は、本実施形態に係るエレベータ１の据付方法における最上部ガイドレール１３の取り付け工程を示す図である。最上部ガイドレール１３の取り付け時においても、中間部ガイドレール１２の取り付け時と同様、必要に応じて据付用作業床１４を上昇させて行う。まず、中間部ガイドレール１２の上端に取り付けられた継目板１２ａに、据付用作業床１４に乗車している作業者Ｘが届く位置まで据付用作業床１４を上昇させる。次に、レール揚重機５を駆動してレール揚重機５の揚重ロープ７に最上部ガイドレール１３を保持させて吊り上げ、中間部ガイドレール１２の上端側に最上部ガイドレール１３を配置する。その状態で、作業者Ｘは、据付用作業床１４を足場として最上部ガイドレール１３の下端と、中間部ガイドレール１２の継目板１２ａとをボルト締結する。
【００３５】
次に、最上部ガイドレール１３のレールブラケット取り付け位置に作業者Ｘが届く位置まで再度据付用作業床１４を上昇させる。そして、作業者Ｘは、据付用作業床１４を足場として、最上部ガイドレール１３をレールブラケット２９，３０により昇降路２の内壁に固定する。本実施形態では、最上部ガイドレール１３は２つのレールブラケット２９，３０で固定される例としており、例えば、最上部ガイドレール１３の中心部と上部側との２箇所にレールブラケット２９，３０がそれぞれ取り付けられる。そして、ここまでの工程により、エレベータ１のガイドレール１１，１２，１３が昇降路２に固定される。
【００３６】
以降は、昇降路２内の機器の取り付けや、乗りかごの取り付け、エレベータ１のドアの取り付けなど、通常の手順にしたがってエレベータ１を据え付けていく。なお、本実施形態では、図３Ｃに示すように、ガイドレール受け部１９を昇降路底部３１に固定するためのアンカーボルト２２の頭部が昇降路底部３１の床面に露出した状態となるが、メンテナンス作業の安全性確保のため、ガイドレール１１，１２，１３の設置後は、そのアンカーボルト２２の頭部を切断処理するのが好ましい。
【００３７】
以上のように、本実施形態のエレベータ１の据付方法では、ガイドレール１１，１２，１３の据付作業時において、ガイドレール受け部１９（ピットベース１０）が昇降路底部３１に固定され、そのガイドレール受け部１９に最下部ガイドレール１１が固定される。このため、最下部ガイドレール１１に最下段レールブラケット１６を取り付けた後、据付用作業床１４を上昇させるときに、最下部ガイドレール１１に作用するモーメント荷重をガイドレール受け部１９（ピットベース１０）と最下段のレールブラケット１６とで受けることができる。これにより、作業者Ｘは、据付用作業床１４を足場として２段目レールブラケット２７を最下部ガイドレール１１の上部に取り付けることができる。
【００３８】
従来のエレベータの据付方法では、ピットベース１０は昇降路底部３１には固定されていない。したがって、従来は、最下部ガイドレール１１を最下段レールブラケット１６と２段目レールブラケット２７とで固定するまでは、最下部ガイドレール１１は据付用作業床１４の昇降時に生じるモーメント荷重に耐えることはできない。すなわち、従来のように、ガイドレール受け部１９が昇降路底部３１に固定されていない場合に、２段目レールブラケット２７の取り付けのために据付用作業床１４を昇降させようとすると、そのときに発生するモーメント荷重により、最下部ガイドレール１１とピットベース１０がずれるおそれがある。このため、従来は、２段目レールブラケット２７は、昇降路底部３１に組み上げた足場を用いて作業されていた。
【００３９】
これに対して、本実施形態では、２段目レールブラケット２７を取り付ける為に据付用作業床１４を上昇させることができるので、据付用作業床１４を足場として２段目レールブラケット２７を取り付けることができるため、昇降路底部３１に固定足場を組み上げる必要がない。また、最下段レールブラケット１６の取り付け及び据付用作業床１４の組み立ても、作業者Ｘが昇降路底部３１を足場として作業できる範囲にあるため、ガイドレール据付工程全体を通して、昇降路底部３１に仮設材で固定足場を組み上げる必要がない。したがって、昇降路底部３１に固定足場を組むための仮設材を搬入したり、固定足場を組み上げたりする手間や据付作業費を削減することができる。
【００４０】
本実施形態では、昇降路底部３１から８００ｍｍの位置に最下段レールブラケット１６を設ける例としたが、これに限られるものではない。本実施形態では、据付用作業床１４の昇降時に発生する荷重モーメントに耐え得るように、最下部ガイドレール１１が最下段レールブラケット１６とガイドレール受け部１９とによって固定されれば良い。したがって、最下段レールブラケット１６の高さは、昇降路底部３１を足場として取り付けられる範囲内において、最下部ガイドレール１１の太さや長さ、固定するために用いられるボルトの数など様々な要因から決定することができる。
【００４１】
なお、本実施形態では、ガイドレール１１，１２，１３を設置した後は、ガイドレール受け部１９を昇降路底部３１に固定するためのアンカーボルト２２の頭部を切断するのが好ましいとしたが、アンカーボルト２２を取り外してもよい。すなわち、ガイドレール１１，１２，１３を設置した後では、ガイドレール受け部１９の昇降路底部３１への固定は、ガイドレール１１，１２，１３の自重で成されるため、アンカーボルト２２は取り外してもよい。
【００４２】
また、本実施形態では、ピットベース１０をピットベース本体１８とガイドレール受け部１９とで構成する例としたが、ピットベース本体１８がガイドレール受け部１９を兼ねる構成であってもよく、ピットベース１０をガイドレール受け部１９のみで構成する例であってもよい。本実施形態のように、ピットベース本体１８がガイドレール受け部１９に固定されていることにより、最下段レールブラケット１６を取り付けた後の据付用作業床１４の上昇時にかかるモーメント荷重を支持する力をより安定させることができる。なお、ピットベース本体１８の上面には、通常、据付用作業床１４や乗りかごが昇降路２の最下部まで落下したときの衝撃を緩和させるための緩衝器が配置される。
【００４３】
また、本実施形態では、最下部ガイドレール１１が最下段レールブラケット１６と２段目レールブラケット２７の２つのレールブラケットで昇降路２に固定される例としたが、エレベータの仕様によっては、最下部ガイドレール１１が１つのレールブラケットで固定される場合もある。この場合には、２段目のレールブラケット２７は、２段目のガイドレール（本実施形態では中間部ガイドレール１２）を昇降路２に固定するためのレールブラケットとなる。このように、最下部ガイドレール１１が１つのレールブラケットで固定される場合においても、図１のステップＳ４までは本実施形態と同様にし、ステップＳ５において、据付用作業床上昇工程の後、２段目のガイドレール１２を最下部ガイドレール１１に取り付けた後に、２段目レールブラケット２７取り付け工程を行う。そして、この場合においても、２段目レールブラケット２７を取り付ける前に据付用作業床１４を上昇させることができるので、本実施形態と同様の効果を得ることができる。
【００４４】
また、本実施形態では、ピットベース１０の昇降路底部３１への固定は、最下段レールブラケット１６を取り付ける工程（ステップＳ２）の後であって、据付用作業床１４を組み立てる工程（ステップＳ４）の前に行われていた。しかしながら、ピットベース１０の昇降路底部３１への固定は、据付用作業床１４を組み立てる前の段階であれば、いずれの段階であってもよい。例えば、ピットベース１０を昇降路底部３１に配置した後であって、最下部ガイドレール１１を配置する前であってもよく、最下部ガイドレール１１を配置した後であって、最下段レールブラケット１６を取り付ける前であってもよい。据付用作業床１４を組み立てる前の工程でピットベース１０が昇降路底部３１に固定されることで、据付用作業床１４の組み立て時にかかる荷重モーメントや、据付用作業床１４の昇降時に係る荷重モーメントを支持することができる。
【００４５】
なお、本実施形態のように、最下段レールブラケット１６で最下部ガイドレール１１を固定した後に、ピットベース１０をアンカーボルト２２で昇降路底部３１に固定することで、最下部ガイドレール１１を立設した後においても、ピットベース１０を微調整することができる。
【００４６】
また、本実施形態では、ピットベース１０の固定は、ガイドレール受け部１９を、最下部ガイドレール１１を挟む２箇所にアンカーボルト２２を打ち込むことで行われていたが、アンカーボルト２２の数やアンカーボルト２２間の幅は、種々の変更が可能である。
【００４７】
また、本実施形態では、ガイドレールを取り付けた後の工程で乗りかごの据付などが行われるが、据付用作業床１４をそのまま乗りかごの床として用いてもよい。さらに、本実施形態では、レール揚重機５及び作業床揚重機６は、レールや作業床を揚重できる程度の簡易的な揚重機を用いてもよく、実際のエレベータの乗りかごの昇降に用いられる巻乗機を用いてもよい。
【００４８】
以上、本発明について、実施形態に基づいて説明したが、本発明は上述の実施形態に記載した構成に限定されるものではなく、その趣旨を逸脱しない範囲において適宜その構成を変更することができるものである。例えば、上述した実施形態例は、本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成について他の実施形態の構成を加えることも可能である。また、各実施形態の構成の一部について、他の構成の追加・削除・置換をすることが可能である。
【符号の説明】
【００４９】
１…エレベータ、２…昇降路、３…トップステージ、４…吊りビーム、５…レール揚重機、６…作業床揚重機、１０…ピットベース、１１…最下部ガイドレール、１２…中間部ガイドレール、１３…最上部ガイドレール、１４…据付用作業床、１６…最下段レールブラケット、１８…ピットベース本体、１９…ガイドレール受け部、２１…レールクリップ、２２…アンカーボルト、２７…２段目レールブラケット、３１…昇降路底部
【図１】
2018070362.tif 000003
【図２】
2018070362.tif 000004
【図３】
2018070362.tif 000005
【図４】
2018070362.tif 000006
【図５】
2018070362.tif 000007
【図６】
2018070362.tif 000008
【図７】
2018070362.tif 000009